(57)【要約】【課題】隔壁部材をネジで固定する際の遮蔽面のねじれを低減することができる技術を提供する。【解決手段】本発明の発光装置は、複数の光源群を有する光源基板と、前記光源基板上に設けられた、各光源群を囲む隔壁部材と、を有する発光装置であって、前記隔壁部材は、前記隔壁部材を前記発光装置に固定するネジが通る固定穴を有し、前記固定穴の近傍に、前記隔壁部材を前記ネジで前記発光装置に固定する際に前記隔壁部材に加えられた外力を吸収する吸収部を有する。【選択図】図３
2017045559.tif 000002
【特許請求の範囲】
【請求項１】
複数の光源群を有する光源基板と、
前記光源基板上に設けられた、各光源群を囲む隔壁部材と、
を有する発光装置であって、
前記隔壁部材は、
前記隔壁部材を前記発光装置に固定するネジが通る固定穴を有し、
前記固定穴の近傍に、前記隔壁部材を前記ネジで前記発光装置に固定する際に前記隔壁部材に加えられた外力を吸収する吸収部を有する
ことを特徴とする発光装置。
【請求項２】
前記外力は、前記光源基板と略平行な方向の力であり、
前記吸収部は、前記外力の方向を前記光源基板に略垂直な方向に変換する
ことを特徴とする請求項１に記載の発光装置。
【請求項３】
前記吸収部は、スリットである
ことを特徴とする請求項１に記載の発光装置。
【請求項４】
前記吸収部は、前記固定穴の位置に対して略点対称な複数のスリットである
ことを特徴とする請求項１または３に記載の発光装置。
【請求項５】
前記複数の光源群は、マトリクス状に設けられており、
前記吸収部は、行方向に沿った２つの第１のスリットと、列方向に沿った２つの第２のスリットと、の少なくとも一方を含む
ことを特徴とする請求項３または４に記載の発光装置。
【請求項６】
前記第１のスリットの列方向の位置は、前記固定穴の前記列方向の中心位置と略一致し、
前記第２のスリットの行方向の位置は、前記固定穴の前記行方向の中心位置と略一致する
ことを特徴とする請求項５に記載の発光装置。
【請求項７】
前記吸収部は、穴である
ことを特徴とする請求項１に記載の発光装置。
【請求項８】
前記吸収部は、前記固定穴の位置に対して略点対称な複数の穴である
ことを特徴とする請求項１または７に記載の発光装置。
【請求項９】
前記複数の光源群は、マトリクス状に設けられており、
前記吸収部は、前記固定穴を挟むように行方向に並んだ２つの第１の穴と、前記固定穴を挟むように列方向に並んだ２つの穴と、の少なくとも一方を含む
ことを特徴とする請求項７または８に記載の発光装置。
【請求項１０】
前記隔壁部材は、薄板部材を加工することで得られた部材である
ことを特徴とする請求項１〜９のいずれか１項に記載の発光装置。
【請求項１１】
前記吸収部は、前記光源基板から離れる側に前記固定穴の縁から伸びた突出片である
ことを特徴とする請求項１または２に記載の発光装置。
【請求項１２】
前記吸収部は、前記固定穴の位置に対して略点対称な複数の突出片であり、
各突出片は、前記光源基板から離れる側に前記固定穴の縁から伸びている
ことを特徴とする請求項１、２、及び、１１のいずれか１項に記載の発光装置。
【請求項１３】
前記隔壁部材は、薄板部材を加工することで得られた部材であり、
前記隔壁部材に略十字の穴を設けることで形成された４つの角部を前記光源基板から離れる側に折り曲げることにより、前記固定穴と前記突出片が形成されている
ことを特徴とする請求項１１または１２に記載の発光装置。
【請求項１４】
前記複数の光源群は、マトリクス状に設けられており、
前記固定穴は、２行２列の４つの光源群の略中心に設けられている
ことを特徴とする請求項１〜１３のいずれか１項に記載の発光装置。
【請求項１５】
発光部と、
前記発光部から発せられた光を変調することで画像を表示する表示部と、
を有し、
前記発光部は、
複数の光源群を有する光源基板と、
前記光源基板上に設けられた、各光源群を囲む隔壁部材と、
を有し、
前記隔壁部材は、
前記隔壁部材を前記発光装置に固定するネジが通る固定穴を有し、
前記固定穴の近傍に、前記隔壁部材を前記ネジで前記発光装置に固定する際に前記隔壁部材に加えられた外力を吸収する吸収部を有する
ことを特徴とする画像表示装置。
【発明の詳細な説明】
【技術分野】
【０００１】
本発明は、発光装置および画像表示装置に関する。
【背景技術】
【０００２】
画像表示装置として、液晶表示装置が知られている。液晶表示装置は、液晶パネルとバックライトモジュールを有する。バックライトモジュールとして、画面と平行な面の方向に並べられた複数の光源を有する直下型バックライトモジュールが知られている。直下型バックライトモジュールでは、光源として、ＬＥＤ（発光ダイオード）がよく使用される。
【０００３】
バックライトモジュールでは、表示画像（画面に表示された画像）のコントラスト向上のために、画面の領域を構成する複数の分割領域にそれぞれ対応する複数の光源群が使用されることがある。各光源群は、１つ以上の光源を有する。各光源群の発光を個別に制御することにより、表示画像のコントラストを高めることができる。
【０００４】
液晶表示装置では、画質向上のために、液晶パネルと光源の間に光学シートや隔壁部材が設けられることがある。光学シートは、入射した光に光学的な変化を与える。例えば、光学シートは、光源から発せられた光の拡散、偏光、集光、等を行う。それにより、画面輝度を高めたり、色ムラや輝度ムラを低減したりすることができる。隔壁部材は、各光源群を囲む。それにより、光源群から発せられた光が、当該光源群に対応しない他の分割領域に漏れることを抑制することができる。その結果、表示画像のコントラストをより高めることができる。また、隔壁部材の表面における光反射率を高めることで、画面輝度を高めることができる。
【０００５】
従来の隔壁部材の保持構造について、図９，１０を用いて説明する。図９は、従来の液晶表示装置１０１の構成の一例を示す図であり、図１０は、従来の隔壁部材の保持構造の一例を示す図である。図９は、画面に垂直な面によって得られた断面図であり、図１０は、画面側から隔壁部材を見た正面図である。
【０００６】
図９の例では、基板１１１上に複数の光源群１１１ａが設けられている。液晶表示装置１０１は、各光源群１１１ａの発光を個別に制御することができる。また、複数の光源群１１１ａと液晶パネル１１０の間に光学シート１１２が設けられており、基板１１１上に隔壁部材１１３が設けられている。そのため、各光源群１１１ａから発せられた光には、光学シート１１２によって光学的な変化が与えられる。また、各光源群１１１ａから発せられた光が隔壁部材１１３で反射することもある。各光源群１１１ａから発せられて光学シート１１２を通った光が、液晶パネル１１０の背面に照射される。液晶パネル１１０は、液晶パネル１１０の周縁部において液晶パネル１１０の正面に接するパネルケース１１４と、液晶パネル１１０の周縁部において液晶パネル１１０の背面に接するパネルホルダ１１５とにより挟持されている。複数の光源群１１１ａが設けられた基板１１１は、バックライトケース１１６に固定されている。そして、光学シート１１２は、パネルホルダ１１５とバックライトケース１６により挟持されている。基板１１１上には支柱１１７が設けられており、隔壁部材１１３は、ネジ１１８を用いて、バックライトケース１１６と支柱１１７に固定されている。
【０００７】
隔壁部材１１３は、例えば、光反射率が高い薄板部材（シート部材）から真空成形により生成される。図１０に示すように、隔壁部材１１３は、複数の光源群１１１ａをそれぞれ露出する複数の穴（露出穴）１１３ａを有する。隔壁部材１１３は、分割領域から他の
分割領域に向かう光を遮る複数の遮蔽面１１３ｂを有する。遮蔽面１１３ｂの上端に固定面１１３ｃを有する。そして、隔壁部材１１３は、ネジ１１８が通る固定穴１１３ｄを固定面１１３ｃに有する。
【０００８】
ここで、隔壁部材１１３が固定される際には、ネジ１１８のねじこみ方向Ｘの外力が隔壁部材１１３に加わる。そして、隔壁部材１１３の厚みが薄く、かつ、隔壁部材１１３が多くの露出穴１１３ａを有するため、隔壁部材１１３は外力によって変形しやすい。そのため、隔壁部材１１３が固定される際に、ねじこみ方向Ｘの外力に沿った方向Ｙに遮蔽面１１３ｂがねじれる可能性が高い。遮蔽面１１３ｂの大きなねじれが生じると、複数の光源群１１１ａから発せられた光を合成した合成光の分布が変化する。例えば、遮蔽面１１３ｂの大きなねじれによって、遮蔽面１１３ｂが光源群１１１ａの少なくとも一部を覆い、合成光の分布が変化する。その結果、表示画像の画質が劣化する。
【０００９】
また、隔壁部材の他の保持構造は、特許文献１，２に記載されている。特許文献１には、両面テープを用いて隔壁部材を固定する構造が記載されている。特許文献２には、隔壁部材に設けられたフックをバックライトケースに勘合させる構造が記載されている。
【００１０】
しかしながら、特許文献１に記載の構造では、両面テープが使用されるため、隔壁部材の着脱が困難である。また、特許文献２に記載の構造では、隔壁部材にフックを設けるため、真空成形やマッチモールド成形により薄板部材から隔壁部材を容易に生成することができない。
【先行技術文献】
【特許文献】
【００１１】
【特許文献１】特開２００６−１１４３６６号公報
【特許文献２】特開２０１３−１５７６８号公報
【発明の概要】
【発明が解決しようとする課題】
【００１２】
本発明は、隔壁部材をネジで固定する際の遮蔽面のねじれを低減することができる技術を提供することを目的とする。
【課題を解決するための手段】
【００１３】
本発明の第１の態様は、
複数の光源群を有する光源基板と、
前記光源基板上に設けられた、各光源群を囲む隔壁部材と、
を有する発光装置であって、
前記隔壁部材は、
前記隔壁部材を前記発光装置に固定するネジが通る固定穴を有し、
前記固定穴の近傍に、前記隔壁部材を前記ネジで前記発光装置に固定する際に前記隔壁部材に加えられた外力を吸収する吸収部を有する
ことを特徴とする発光装置である。
【００１４】
本発明の第２の態様は、
発光部と、
前記発光部から発せられた光を変調することで画像を表示する表示部と、
を有し、
前記発光部は、
複数の光源群を有する光源基板と、
前記光源基板上に設けられた、各光源群を囲む隔壁部材と、
を有し、
前記隔壁部材は、
前記隔壁部材を前記発光装置に固定するネジが通る固定穴を有し、
前記固定穴の近傍に、前記隔壁部材を前記ネジで前記発光装置に固定する際に前記隔壁部材に加えられた外力を吸収する吸収部を有する
ことを特徴とする画像表示装置である。
【発明の効果】
【００１５】
本発明によれば、隔壁部材をネジで固定する際の遮蔽面のねじれを低減することができる。
【図面の簡単な説明】
【００１６】
【図１】実施例１に係る液晶表示装置の構成の一例を示す分解斜視図
【図２】実施例１に係る液晶表示装置の構成の一例を示す断面図
【図３】実施例１に係る隔壁部材の構成の一例を示す正面図
【図４】実施例１に係る隔壁部材１３の保持構造の一例を示す正面図
【図５】実施例２に係る隔壁部材の構成の一例を示す正面図
【図６】実施例２に係る隔壁部材１３の保持構造の一例を示す正面図
【図７】実施例３に係る隔壁部材の構成の一例を示す正面図
【図８】実施例３に係る隔壁部材１３の保持構造の一例を示す正面図
【図９】従来の液晶表示装置の構成の一例を示す断面図
【図１０】従来の隔壁部材の保持構造の一例を示す正面図
【発明を実施するための形態】
【００１７】
＜実施例１＞
以下、本発明の実施例１に係る発光装置について説明する。本実施例に係る発光装置は、例えば、透過型の液晶表示装置用のバックライトモジュールとして使用することができる。なお、本実施例に係る発光装置はバックライトモジュールに限らない。本実施例に係る発光装置は、発光装置から発せられた光を変調することで画像を表示する画像表示装置であれば、どのような画像表示装置でも使用することができる。例えば、本実施例に係る発光装置は、反射型の液晶表示装置でも使用することができる。本実施例に係る発光装置は、液晶素子の代わりにＭＥＭＳ（Ｍｉｃｒｏ  Ｅｌｅｃｔｒｏ  Ｍｅｃｈａｎｉｃａｌ
Ｓｙｓｔｅｍ）シャッターを用いたＭＥＭＳシャッター方式ディスプレイ装置でも使用することができる。本実施例に係る発光装置は、広告標識装置、標識表示装置、等の画像表示装置でも使用することができる。本実施例に係る発光装置は、街灯、室内照明、顕微鏡照明などの照明装置として使用することもできる。
【００１８】
図１は、本実施例に係る液晶表示装置１の構成の一例を示す分解斜視図である。図１に示すように、液晶表示装置１は、液晶パネル１０、光源基板１１、光学シート１２、隔壁部材１３、パネルケース１４、パネルホルダ１５、及び、バックライトケース１６を有する。本実施例に係る発光装置（発光部；バックライトモジュール）は、光源基板１１と隔壁部材１３を少なくとも有する。
【００１９】
光源基板１１は、複数の光源群１１ａを有する。各光源群１１ａは、１つ以上の光源を有する。光源としては、ＬＥＤ（発光ダイオード）、有機ＥＬ素子、冷陰極管、等を使用することができる。図１では、複数の光源群１１ａはマトリクス状に設けられている。なお、複数の光源群１１ａの配置は特に限定されない。例えば、複数の光源群１１ａが千鳥格子状に設けられていてもよい。
【００２０】
なお、各光源群１１ａは、１つの色に対応する１種類の光源のみを有していてもよい。
複数色にそれぞれ対応する複数種類の光源を有していてもよい。例えば、各光源群１１ａは、白色光を発する白色光源のみを有していてもよい。各光源群１１ａは、赤色光を発する赤色光源、緑色光を発する緑色光源、及び、青色光を発する青色光源を有していてもよい。赤色光、緑色光、及び、青色光を合成することにより、白色を含む様々な色の光を得ることができる。
【００２１】
なお、各光源群１１ａの発光は個別に制御されてもよいし、そうでなくてもよい。各光源群１１ａの発光を個別に制御するローカルディミング制御では、例えば、複数の光源群１１ａとして、画面の領域を構成する複数の分割領域にそれぞれ対応する複数の光源群が使用される。そして、分割領域に対応する画像データに基づいて、当該分割領域に対応する光源群の発光が制御される。例えば、分割領域に対応する画像データの輝度値が低いほど低い輝度に、光源群の発光輝度が制御される。
【００２２】
隔壁部材１３は、光源基板１１上に設けられる。隔壁部材１３は、各光源群１１ａを囲む。隔壁部材１３の製造方法は特に限定されないが、本実施例では、薄板部材（シート部材）を加工することで隔壁部材１３が得られる。例えば、真空成形やマッチモールド成形により薄板部材から隔壁部材１３が生成される。隔壁部材１３の材料は特に限定されないが、例えば、ポリカーボネート（ＰＣ）、ポリエチレンテレフタラート（ＰＥＴ）、等の合成樹脂が使用される。隔壁部材１３の材料として金属が使用されてもよい。隔壁部材１３の表面の光反射率が高いことが好ましい。隔壁部材１３の光反射率が高ければ、光源群１１ａから発せられた光を隔壁部材１３で効率よく反射することができ、バックライトモジュールから発せられた光（複数の光源群１１ａから発せられた光を合成した合成光）の輝度を高めることができる。その結果、画面輝度を高めることができる。なお、光源群１１ａから発せられた光が隔壁部材１３で吸収されてもよい。
【００２３】
光学シート１２は、複数の光源群１１ａと液晶パネル１０の間に設けられる。光学シート１２は、入射した光に光学的な変化を与える。例えば、光学シート１２は、光源群１１ａから発せられた光の拡散、偏光、集光、等を行う。それにより、画面輝度を高めたり、色ムラや輝度ムラを低減したりすることができる。光学シート１２は、拡散板、集光板、プリズムシート、等を有する。
【００２４】
液晶パネル１０は、バックライトモジュール（発光部）から発せられた光を変調することで画像を表示する表示部である。具体的には、液晶パネル１０は、バックライトモジュールから発せられた光を画像データに基づく透過率で透過することで画像を表示する。本実施例では、各光源群１１ａから発せられて光学シート１２を通った光が、液晶パネル１０の背面に照射される。そして、液晶パネル１０は、各光源群１１ａから発せられて光学シート１２を通った光を透過することにより、画面に画像を表示する。
【００２５】
液晶パネル１０は、液晶パネル１０の周縁部において液晶パネル１０の正面に接するパネルケース１４と、液晶パネル１０の周縁部において液晶パネル１０の背面に接するパネルホルダ１５とにより挟持される。光源基板１１は、バックライトケース１６に固定される。そして、光学シート１２は、パネルホルダ１５とバックライトケース１６により挟持される。
【００２６】
図１の例では、バックライトケース１６は、底部と、底部の周囲を囲む側壁部とを有する箱状部材である。そして、バックライトケース１６と光学シート１２により密閉空間が形成され、密閉空間内に光源基板１１と隔壁部材１３とが設けられる。バックライトケース１６の材料は特に限定されないが、熱伝導率の高い材料が使用されることが好ましい。例えば、アルミニウム合金が使用されることが好ましい。バックライトケース１６の熱伝導率が高ければ、光源群１１ａの熱などを効率よく外部に逃がすことができる。バックラ
イトケース１６の背面側には、液晶パネル１０や光源群１１ａを駆動するための回路基板（不図示）などが設けられる。なお、バックライトケース１６の底部が光源基板１１を兼ねてもよい。
【００２７】
次に、図２，３（Ａ），３（Ｂ），４（Ａ），４（Ｂ）を用いて、本実施例に係る隔壁部材の保持構造と、本実施例の効果とについて説明する。図２は、液晶表示装置１の構成の一例を示す図である。図３（Ａ），３（Ｂ）は、隔壁部材１３の構成の一例を示す図である。図４（Ａ），４（Ｂ）は、隔壁部材１３の保持構造の一例を示す図である。図２は、画面（または、バックライトモジュールの発光面）に垂直な面によって得られた断面図であり、図３（Ａ），３（Ｂ），４（Ａ），４（Ｂ）は、画面側から隔壁部材１３を見た正面図である。図３（Ｂ）は、図３（Ａ）の一部を拡大した拡大図であり、図４（Ｂ）は、図４（Ａ）の一部を拡大した拡大図である。
【００２８】
本実施例では、光源基板１１上に支柱１７が設けられており、隔壁部材１３は、ネジ１８を用いて、バックライトケース１６と支柱１７に固定される。なお、バックライトモジュールに対する隔壁部材１３の固定方法は、ネジを用いた方法であれば、どのような方法であってもよい。例えば、支柱が光源基板上に設けらず、隔壁部材が光源基板に固定されてもよい。
【００２９】
隔壁部材１３は、複数の光源群１１ａをそれぞれ露出する複数の穴（露出穴）１３ａを有する。本実施例では、図３（Ｂ）に示すように、露出穴１３ａの形状は、四角形である。なお、露出穴１３ａの形状やサイズは特に限定されない。例えば、露出穴１３ａの形状は、三角形、五角形、円形、等であってもよい。
【００３０】
隔壁部材１３は、分割領域から他の分割領域に向かう光を遮る複数の遮蔽面１３ｂを有する。光源群１１ａは、遮蔽面１３ｂに囲まれる。光源群１１ａから発せられた光は、遮蔽面１３ｂで反射したり、遮蔽面１３ｂに吸収されたりする。
【００３１】
隔壁部材１３は、遮蔽面１３ｂの上端に固定面１３ｃを有する。なお、固定面１３ｃの位置は特に限定されない。例えば、遮蔽面１３ｂの下端に固定面１３ｃが設けられてもよい。
【００３２】
そして、隔壁部材１３は、ネジ１８が通る固定穴１３ｄを固定面１３ｃに有する。本実施例では、図４（Ｂ）に示すように、固定穴１３ｄは、２行２列の４つの光源群１１ａの略中心に設けられている。本実施例では、「略中心」は「中心」を含む。２行２列の４つの光源群１１ａである組み合わせが複数存在する場合、全ての組み合わせについて固定穴１３ｄが設けられていてもよいし、一部の組み合わせについて固定穴１３ｄが設けられていてもよい。なお、固定穴１３ｄの位置は特に限定されない。例えば、行方向に並ぶ２つの光源群に挟まれた位置に固定穴１３ｄが設けられていてもよい。固定穴１３ｄの位置は、光源群１１ａの配置、露出穴１３ａの形状、遮蔽面１３ｂの傾き、等の様々なパラメータに基づいて決定される。
【００３３】
ここで、図４（Ｂ）に示すように、隔壁部材１３が固定される際には、ネジ１８のねじこみ方向Ｘの外力が隔壁部材１３に加わる。そのため、そのような外力によって隔壁部材１３が変形する虞がある。具体的には、隔壁部材１３が固定される際に、ねじこみ方向Ｘの外力に沿った方向Ｙに遮蔽面１３ｂがねじれる虞がある。特に、隔壁部材１３の厚みが薄く、かつ、隔壁部材１３が多くの露出穴１３ａを有する場合には、隔壁部材１３は外力によって変形しやすい。遮蔽面１３ｂの大きなねじれが生じると、複数の光源群１１ａから発せられた光を合成した合成光の分布が変化する。例えば、遮蔽面１３ｂの大きなねじれによって、遮蔽面１３ｂが光源群１１ａの少なくとも一部を覆い、合成光の分布が変化
する。その結果、表示画像（画面に表示された画像）の画質が劣化する。
【００３４】
そこで、本実施例では、ねじこみ方向Ｘの外力を吸収する吸収部を、隔壁部材１３に設ける。吸収部は、固定穴１３ｄの近傍に設けられる。具体的には、図３（Ｂ）に示すように、固定穴１３ｄに接続するスリット１３ｅを、隔壁部材１３の固定面１３ｃに設ける。図３（Ｂ）の例では、固定穴１３ｄの位置に対して略点対称な４つのスリット１３ｅが設けられている。本実施例では、「略点対称」は「点対称」を含む。上記４つのスリット１３ｅは、行方向に沿った２つの第１のスリットと、列方向に沿った２つの第２のスリットとを含む。また、第１のスリットの列方向の位置は、固定穴１３ｄの列方向の中心位置と略一致し、第２のスリットの行方向の位置は、固定穴１３ｄの行方向の中心位置と略一致する。本実施例では、「略一致」は「一致」を含む。
【００３５】
スリット１３ｅは、遮蔽面１３ｂに比べ変形しやすい。そのため、ねじこみ方向Ｘの外力によりスリット１３ｅが変形することで、ねじこみ方向Ｘの外力がスリット１３ｅに吸収される。その結果、遮蔽面１３ｂの変形（ねじれ）が低減される。
【００３６】
なお、スリットの数、向き（画面に平行な面における向き）、サイズ、等は特に限定されない。例えば、１つの固定穴に対して、４つより多くのスリットが設けられていてもよいし、４つより少ないスリットが設けられていてもよい。斜め方向（行方向と列方向の間の方向）のスリットが設けられていてもよい。１つの固定穴に対して設けられた複数のスリットが、固定穴の位置に対して略点対称でなくてもよい。第１のスリットと第２のスリットの少なくとも一方が設けられていなくてもよい。１つの固定穴に対して１つのスリットが設けられていてもよい。但し、遮蔽面の変形の抑制の観点から、１つの固定穴に対して複数のスリットが設けられることが好ましい。固定穴の位置に対して略点対称な複数のスリットが設けられることがさらに好ましい。また、複数の光源群がマトリクス状に設けられ、かつ、２行２列の４つの光源群の略中心に固定穴が設けられる場合には、１つの固定穴に対して設けられた複数のスリットが、図３（Ｂ）に示す４つのスリット１３ｅを含むことが好ましい。スリットの数、向き、サイズ、等は、例えば、隔壁部材をネジで固定する際の遮蔽面のねじれが十分に低減されるように、露出穴の形状、遮蔽面の傾き、隔壁部材の材料、隔壁部材の厚さ、等の様々なパラメータに基づいて決定される。
【００３７】
以上述べたように、本実施例によれば、固定穴に接続するスリットが隔壁部材に設けられる。それにより、隔壁部材をネジで固定する際の遮蔽面のねじれを低減することができる。
【００３８】
＜実施例２＞
以下、本発明の実施例２に係る発光装置について説明する。なお、以下では、実施例１と異なる構成について詳しく説明し、実施例１と同様の構成についての説明は省略する。
【００３９】
図５は、本実施例に係る隔壁部材１３の構成の一例を示す図であり、図６は、本実施例に係る隔壁部材１３の保持構造の一例を示す図である。図５，６は、画面側から隔壁部材１３を見た正面図であり、一部を示す部分図（拡大図）である。図６に示すように、本実施例では、実施例１と同様の方法で隔壁部材１３が固定される。
【００４０】
図５に示すように、本実施例では、スリット１３ｅの代わりに、穴（吸収穴）１３ｆが隔壁部材１３に設けられる。図５の例では、固定面１３ｃ内の複数の位置のうち、固定穴１３ｄと遮蔽面１３ｂの間の位置に吸収穴１３ｆが設けられている。図５の例では、固定穴１３ｄの位置に対して略点対称な４つ吸収穴１３ｆが設けられている。上記４つの吸収穴１３ｆは、固定穴１３ｄを挟むように行方向に並んだ２つの第１の穴と、固定穴１３ｄを挟むように列方向に並んだ２つの第２の穴とを含む。
【００４１】
吸収穴１３ｆは、遮蔽面１３ｂに比べ変形しやすい。そのため、ねじこみ方向Ｘの外力により吸収穴１３ｆが変形することで、ねじこみ方向Ｘの外力が吸収穴１３ｆに吸収される。その結果、遮蔽面１３ｂの変形（ねじれ）が低減される。
【００４２】
なお、吸収穴の数、位置、サイズ、等は特に限定されない。例えば、１つの固定穴に対して、４つより多くの吸収穴が設けられていてもよいし、４つより少ない吸収穴が設けられていてもよい。固定穴に対して斜め方向に位置する吸収穴が設けられていてもよい。１つの固定穴に対して設けられた複数の吸収穴が、固定穴の位置に対して略点対称でなくてもよい。第１の穴と第２の穴の少なくとも一方が設けられていなくてもよい。１つの固定穴に対して１つの吸収穴が設けられていてもよい。但し、遮蔽面の変形の抑制の観点から、１つの固定穴に対して複数の吸収穴が設けられることが好ましい。固定穴の位置に対して略点対称な複数の吸収穴が設けられることがさらに好ましい。また、複数の光源群がマトリクス状に設けられ、かつ、２行２列の４つの光源群の略中心に固定穴が設けられる場合には、１つの固定穴に対して設けられた複数の吸収穴が、図５に示す４つの吸収穴１３ｆを含むことが好ましい。吸収穴の数、位置、サイズ、等は、例えば、隔壁部材をネジで固定する際の遮蔽面のねじれが十分に低減されるように、露出穴の形状、遮蔽面の傾き、隔壁部材の材料、隔壁部材の厚さ、等の様々なパラメータに基づいて決定される。
【００４３】
以上述べたように、本実施例によれば、固定穴の近傍に位置する吸収穴が隔壁部材に設けられる。それにより、隔壁部材をネジで固定する際の遮蔽面のねじれを低減することができる。
【００４４】
＜実施例３＞
以下、本発明の実施例３に係る発光装置について説明する。なお、以下では、実施例１，２と異なる構成について詳しく説明し、実施例１，２と同様の構成についての説明は省略する。
【００４５】
図７は、本実施例に係る隔壁部材１３の構成の一例を示す図であり、図８は、本実施例に係る隔壁部材１３の保持構造の一例を示す図である。図７，８は、画面側から隔壁部材１３を見た正面図であり、一部を示す部分図（拡大図）である。図８に示すように、本実施例では、実施例１，２と同様の方法で隔壁部材１３が固定される。
【００４６】
実施例１，２で述べたねじこみ方向Ｘは、光源基板１１（画面、発光面）と略平行な方向である。本実施例では、「略平行」は「平行」を含む。そして、本実施例に係る吸収部は、隔壁部材１３をネジ１８で固定する際の外力の方向を、ねじこみ方向Ｘから法線方向Ｚに変換する。法線方向Ｚは、光源基板１１に略垂直な方向である。本実施例では、「略垂直」は「垂直」を含む。固定穴１３ｄの近傍でねじこみ方向Ｘの外力が法線方向Ｚの力に変換されることにより、隔壁部材１３をネジ１８で固定する際の遮蔽面１３ｂのねじれを低減することができる。さらに、ネジ１８のねじこみによる力だけでなく、変換後の力（法線方向Ｚの力）によっても隔壁部材１３が固定されるため、隔壁部材１３のがたつきを生じ難くすることができる。
【００４７】
具体的には、図７に示すように、スリット１３ｅや吸収穴１３ｆの代わりに、光源基板１１から離れる側に固定穴１３ｄの縁から伸びた突出片１３ｈが、隔壁部材１３に設けられる。図７の例では、固定穴１３ｄの位置に対して略点対称な４つ突出片１３ｈが設けられている。図７の例では、隔壁部材１３に略十字の穴１３ｇを設けることで形成された４つの角部を光源基板１１から離れる側に折り曲げることにより、固定穴１３ｄと突出片１３ｈが形成される。
【００４８】
突出片１３ｈにより、隔壁部材１３をネジ１８で固定する際の上記外力の方向が、ねじこみ方向Ｘから法線方向Ｚに変換される。さらに、突出片１３ｈにより、固定穴１３ｄの近傍における隔壁部材１３の厚さが増すため、固定穴１３ｄの近傍における隔壁部材１３の強度を高めることができる。その結果、遮蔽面１３ｂへの上記外力の伝達を抑制することができ、遮蔽面１３ｂのねじれをより低減することができる。
【００４９】
なお、本実施例に係る吸収部は、突出片に限らない。外力の方向をねじこみ方向から法線方向に変換することができれば、吸収部はどのような構造を有していてもよい。例えば、接着剤によって固定穴の縁に突出片が接着されてもよい。その場合、突出面の材料は、遮蔽面や固定面の材料と異なっていてもよい。但し、図７を用いて説明した方法によれば、折り曲げという簡易な加工で固定穴や突出片を形成することができる。
【００５０】
なお、突出片の数、位置、サイズ、等は特に限定されない。例えば、１つの固定穴に対して、４つより多くの突出片が設けられていてもよいし、４つより少ない突出片が設けられていてもよい。１つの固定穴に対して設けられた複数の突出片が、固定穴の位置に対して略点対称でなくてもよい。１つの固定穴に対して１つの突出片が設けられていてもよい。但し、遮蔽面の変形の抑制の観点から、１つの固定穴に対して複数の突出片が設けられることが好ましい。固定穴の位置に対して略点対称な複数の突出片が設けられることがさらに好ましい。突出片の数、位置、サイズ、等は、例えば、隔壁部材をネジで固定する際の遮蔽面のねじれが十分に低減されるように、露出穴の形状、遮蔽面の傾き、隔壁部材の材料、隔壁部材の厚さ、等の様々なパラメータに基づいて決定される。
【００５１】
以上述べたように、本実施例によれば、隔壁部材をネジで固定する際の外力の方向が、固定穴の近傍で、ねじこみ方向から法線方向に変換される。それにより、隔壁部材をネジで固定する際の遮蔽面のねじれを低減することができるとともに、隔壁部材のがたつきを生じ難くすることができる。
【符号の説明】
【００５２】
１：液晶表示装置  １０：液晶パネル  １１：光源基板  １１ａ：光源群
１３：隔壁部材  １３ａ：露出穴  １３ｂ：遮蔽面  １３ｃ：固定面
１３ｄ：固定穴  １３ｅ：スリット  １３ｆ：吸収穴  １３ｇ：穴
１３ｈ：角部  １８：ネジ
【図１】
2017045559.tif 000003
【図２】
2017045559.tif 000004
【図３】
2017045559.tif 000005
【図４】
2017045559.tif 000006
【図５】
2017045559.tif 000007
【図６】
2017045559.tif 000008
【図７】
2017045559.tif 000009
【図８】
2017045559.tif 000010
【図９】
2017045559.tif 000011
【図１０】
2017045559.tif 000012